(57)【要約】【課題】  簡単にかつ確実に衣服に着脱することができ、さらに、製造が容易な食事用ナプキンを提供することを目的とする。【解決手段】  上辺に左右突片部２，２を有する全体略矩形状のナプキン本体１の左右突片部２，２の裏面４ａ及び左右突片部２，２を有しない上辺中間縁部３の裏面４ｂに着用者の衣服に接着後剥離可能な再剥離糊５を付着したものである。さらに、再剥離糊５にテープ状剥離紙６を積層させたものである。【選択図】  図４
0003114623.tif 000002
【実用新案登録請求の範囲】
【請求項１】
略矩形状のナプキン本体（１）の一辺に沿ってその裏面（４）に着用者の衣服に接着後剥離可能な再剥離糊（５）を付着し、該再剥離糊（５）にテープ状剥離紙（６）を積層させたことを特徴とする食事用ナプキン。
【請求項２】
上辺に左右突片部（２)(２）を有する全体略矩形状のナプキン本体（１）の上記左右突片部（２)(２）の裏面（４ａ）及び該左右突片部（２)(２）を有しない上辺中間縁部（３）の裏面（４ｂ）に着用者の衣服に接着後剥離可能な再剥離糊（５）を付着し、該再剥離糊（５）にテープ状剥離紙（６）を積層させたことを特徴とする食事用ナプキン。
【請求項３】
上記テープ状剥離紙（６）の上記再剥離糊（５）と反対側の表面に宣伝内容を表示した請求項１又は２記載の食事用ナプキン。
【考案の詳細な説明】
【技術分野】
【０００１】
本考案は、食事用ナプキンに関する。
【背景技術】
【０００２】
レストラン等の飲食店で食事の際に、衣服が汚れないようにするための食事用のナプキンがある。そして、食事用ナプキンには、一般に、腰から膝付近に渡ってかける（被せる）タイプと、胸元辺りで衣服に差し込んで掛け止めるタイプとがあるが、どちらも食事中に外れたり脱落し易いという欠点があった。
従来、衣服からナプキンが脱落しないようにするために、ナプキンと衣服を連結するナプキン止め具があった（例えば、特許文献１参照）。
【特許文献１】実用新案登録第３０４５９６４号公報
【考案の開示】
【考案が解決しようとする課題】
【０００３】
しかし、従来のナプキン止め具は、連結された一対のクリップのうち一方はナプキンを保持し、他方は衣服を保持して使用するものであり、一個ではナプキンを幅広く係止することはできず、また、なにより、ナプキン以外にこの止め具を用意しなければならないのは面倒なことであった。
そこで、本考案は、簡単にかつ確実に衣服に着脱することができ、さらに、製造が容易な食事用ナプキンを提供することを目的とする。
【課題を解決するための手段】
【０００４】
上記目的を達成するために、本考案に係る食事用ナプキンは、略矩形状のナプキン本体の一辺に沿ってその裏面に着用者の衣服に接着後剥離可能な再剥離糊を付着し、該再剥離糊にテープ状剥離紙を積層させたものである。
【０００５】
また、上辺に左右突片部を有する全体略矩形状のナプキン本体の上記左右突片部の裏面及び該左右突片部を有しない上辺中間縁部の裏面に着用者の衣服に接着後剥離可能な再剥離糊を付着し、該再剥離糊にテープ状剥離紙を積層させたものである。
【０００６】
また、上記テープ状剥離紙の上記再剥離糊と反対側の表面に宣伝内容を表示したものである。
【考案の効果】
【０００７】
本考案は、次のような著大な効果を奏する。
本考案に係る食事用ナプキンによれば、剥離紙を剥がして露出させた再剥離糊を衣服に付着させるだけでナプキン本体を簡単に取り付けることができ、かつ、ナプキン本体を広い範囲にて確実に衣服に取り付けることができるので、食事中に脱落する虞がない。さらに、食事を終えナプキンが不要となった場合は、簡単に衣服から取り外すことができる。また、製造も容易であり、使い捨て用のナプキンとして大量生産する場合に好都合である。
【考案を実施するための最良の形態】
【０００８】
以下、実施の形態を示す図面に基づき本考案を詳説する。
図１と図２に示す本考案の第１の実施の形態は、腰から膝付近に渡ってかける（被せる）タイプの食事用ナプキンであり、１は、織布又は紙等の不織布から成る長方形のナプキン本体である。そして、ナプキン本体１の一辺に沿ってその裏面４に、着用者の衣服に接着後剥離可能な帯状の再剥離糊５を付着し、その再剥離糊５にテープ状剥離紙６が積層されている。なお、再剥離糊５とテープ状剥離紙６とは、ナプキン本体１の一方の長辺に沿って配設されている。
【０００９】
また、図３に示すように、テープ状剥離紙６の再剥離糊５と反対側の表面に宣伝内容（コマーシャル）が表示されている。つまり、剥離紙６を再剥離糊５から剥離する際に、ナプキン本体１の裏面４側から剥離紙６に表示した宣伝内容が見えるようになっている。この宣伝内容は、例えば、ビール・酒・食品等の商品名や企業名（スポンサー名）等を、文字や図柄（マーク）で示したものである。
【００１０】
次に、図４に示す本考案の第２の実施の形態は、胸元に当て掛けるタイプの食事用ナプキンであり、全体略矩形状のナプキン本体１は、上辺に台形状の左右突片部２，２を有している。この左右突片部２，２は、着用者の肩に対応して配置される部分であり、言い換えれば、ナプキン本体１の上端部に着用者の首の位置を避けるように凹部22が形成されている。
【００１１】
各突片部２の上部の裏面４ａには、着用者の衣服に接着後剥離可能な再剥離糊５を付着し、さらに、その再剥離糊５にはテープ状剥離紙６が積層されている（図２参照）。
また、左右突片部２，２を有しないナプキン本体１の上辺の中間縁部３は、着用者の首の下方部に対応して配置される部分であり、上辺中間縁部３の裏面４ｂには、その上端縁に沿って再剥離糊５が付着され、さらに、その再剥離糊５にはテープ状剥離紙６が積層されている（図２参照）。
【００１２】
また、左右突片部２，２及び上辺中間縁部３に配設された剥離紙６の再剥離糊５と反対側の表面には、図３に示すような宣伝内容が表示されている。なお、突片部２，２及び上辺中間縁部３の合計３箇所の剥離紙６に表示する宣伝内容は、全て同じ宣伝内容であってもよく、また、それぞれ異なる宣伝内容であっても自由である。
【００１３】
図５と図６に示す本考案の第３の実施の形態に於て、長方形のナプキン本体１の一辺に沿ってその裏面４に、帯状の再剥離糊５を配設し、その再剥離糊５にテープ状剥離紙６が積層されている。さらに、ナプキン本体１は、使用後の再剥離糊５を取り外して別の新しい再剥離糊５（及び剥離紙６）に交換可能な取換手段７を備えている。
【００１４】
この取換手段７は、互いに係脱可能な一対の面状ファスナー８，９から成り、一方の面状ファスナー８は係合面18に多数のループ部材を有し、他方の面状ファスナー９は係合面19に多数のフック部材を有する公知のものである。面状ファスナー８，９は帯状に形成され、ナプキン本体１の一辺に沿ってその裏面４に（多数のループ部材を有する）一方の面状ファスナー８を付設し、その面状ファスナー８に（多数のフック部材を有する）他方の面状ファスナー９が重なって（係合して）配設されている。そして、他方の面状ファスナー９の係合面19と反対側の裏面には、再剥離糊５を付着し、その再剥離糊５に剥離紙６が積層されている。
なお、面状ファスナー８，９同士の係合力は、再剥離糊５の（衣服に対する）接着力よりも強く設定されている。
【００１５】
また、ナプキン本体１の素材や成形の仕方により、その裏面４に他方の面状ファスナー９が直接係脱可能な場合は、一方の面状ファスナー８を省略してもよい（図示省略）。
また、上記一対の面状ファスナー８，９の係合面18，19は、どちらを多数のフック状又は多数のループ状として形成してもよい。
なお、図５と図６に於て、図１と図２の符号と同一の符号は、図１と図２と同様の構成であるので説明を省略する。
【００１６】
図７に示す本考案の第４の実施の形態に於て、まず、図７の（ａ）に示すのは、腰から膝付近に渡ってかけるタイプの食事用ナプキンであり、長方形のナプキン本体１の一方の長辺に沿ってその裏面４に、帯状の再剥離糊５ａを付着し、その再剥離糊５ａにテープ状剥離紙６ａが積層されている。
さらに、ナプキン本体１の裏面４には、その長辺と直交する左右短辺（縦辺）の中間部に沿ってテープ状剥離紙６ｂ付きの補助止め用の再剥離糊５ｂが付着されている。
【００１７】
また、図７の（ｂ）に示すのは、胸元に当て掛けるタイプの食事用ナプキンであり、ナプキン本体１の左右突片部２，２の裏面４ａ、及び、左右突片部２，２を有しない上辺中間縁部３の裏面４ｂに、再剥離糊５ａが付着され、再剥離糊５ａにはテープ状剥離紙６ａが積層されている。
さらに、ナプキン本体１の裏面４には、その上辺（又は下辺）と直交する左右縦辺の中間部に沿ってテープ状剥離紙６ｂ付きの補助止め用の再剥離糊５ｂが付着されている。
【００１８】
図８に於て、本考案の食事用ナプキンの製造方法（工程）について説明する。
織布又は不織布（紙）から成るナプキン基材10を巻設した巻回ロール11から、ナプキン基材10を繰り出し、糊塗布装置12の左右のノズル13，13から糊（粘着剤）をナプキン基材10の左右両端部に沿って塗布する。塗布した糊を乾燥して形成した再剥離糊５の上に、巻回ロール14，15から繰り出されるテープ状剥離紙６を重ね合わせ、プレスロール16，17間で貼合する。そして、ナプキン基材10の左右中間位置で、（搬送されつつ）裂き刃20によって左右に二分割され、分割後切断刃21にて長手方向に等ピッチに切断し、本考案の食事用ナプキンが完成する。
【００１９】
なお、図８では、ナプキン基材10に糊（再剥離糊５）と剥離紙６を連続して付着するので、完成した食事用ナプキンには、再剥離糊５の両端と剥離紙６の両端が、ナプキン本体１の（長手方向の）両端と一致しているが、糊（再剥離糊５）と剥離紙６とをそれぞれ等ピッチに隙間を空けてナプキン基材10に配設し、その隙間の位置にて切断刃21で切断して、図１に示す第１の実施形態のように、再剥離糊５の両端及び剥離紙６の両端が、ナプキン本体１の（長手方向の）両端まで至らず隙間を有するようにしてもよい。
【００２０】
上述した本考案である食事用ナプキンの使用方法（作用）について説明する。
図１と図２に示す本考案の第１の実施の形態に於て、ナプキン本体１の裏面４側のテープ状剥離紙６を剥がして再剥離糊５を露出させる。そして、図９に示すように、着用者は、露出した再剥離糊５を腰の廻りに当てる（巻く）ようにして、ナプキン本体１を腰から膝辺りにかけ、ナプキン本体１の表側から押さえて再剥離糊５を（腰辺りの）衣服に付着（接着）させる。
また、食事を終えナプキンが不要となった際は、ナプキン本体１を引っ張って、ナプキン本体１と共に再剥離糊５を衣服から剥がす。
【００２１】
また、図４に示す本考案の第２の実施の形態に於て、ナプキン本体１の左右突片部２，２の裏面４ａ及び上辺中間縁部３の裏面４ｂの剥離紙６を剥がし再剥離糊５を露出させる（図２参照）。図10に示すように、着用者は、各突片部２の（露出した）再剥離糊５を肩に当て、上辺中間縁部３の（露出した）再剥離糊５を首下方部に当てるようにして、ナプキン本体１を胸元に配置する。そして、ナプキン本体１の表側から押さえて各再剥離糊５を両肩及び首下方部の衣服に付着（接着）させる。
また、食事を終えナプキンが不要となった際は、ナプキン本体１を引っ張って、ナプキン本体１と共に再剥離糊５を衣服から剥がす。
【００２２】
以上のように、本考案である食事用ナプキンは、略矩形状のナプキン本体１の一辺に沿ってその裏面４に着用者の衣服に接着後剥離可能な再剥離糊５を付着し、再剥離糊５にテープ状剥離紙６を積層させたので、剥離紙６を剥がして露出させた再剥離糊５を衣服に付着させるだけでナプキン本体１を簡単に取り付けることができ、かつ、ナプキン本体１を広い範囲にて確実に衣服に取り付けることができるので、食事中に脱落する虞がない。さらに、食事を終えナプキンが不要となった場合は、簡単に衣服から取り外すことができる。また、製造も容易であり、使い捨て用のナプキンとして大量生産する場合に好都合である。
【００２３】
また、上辺に左右突片部２，２を有する全体略矩形状のナプキン本体１の左右突片部２，２の裏面４ａ及び左右突片部２，２を有しない上辺中間縁部３の裏面４ｂに着用者の衣服に接着後剥離可能な再剥離糊５を付着し、再剥離糊５にテープ状剥離紙６を積層させたので、剥離紙６を剥がして露出させた再剥離糊５を衣服に付着させるだけでナプキン本体１を簡単取り付けることができ、かつ、ナプキン本体１を広い範囲にて確実に衣服に取り付けることができるので、食事中に脱落する虞がない。さらに、食事を終えナプキンが不要となった場合は、簡単に衣服から取り外すことができる。また、製造も容易であり、使い捨て用のナプキンとして大量生産する場合に好都合である。
【００２４】
また、テープ状剥離紙６の再剥離糊５と反対側の表面に宣伝内容を表示したので、着用者が剥離紙６を剥がす際に宣伝内容が必ず目に入り、非常に高い宣伝効果を発揮することができる。
【図面の簡単な説明】
【００２５】
【図１】本考案の第１の実施の形態を示す裏面図である。
【図２】要部拡大断面側面図である。
【図３】要部裏面図である。
【図４】第２の実施の形態を示す裏面図である。
【図５】第３の実施の形態を示す裏面図である。
【図６】要部拡大断面側面図である。
【図７】第４の実施の形態を示す裏面図であって、（ａ）は腰から膝にかけるタイプ    の裏面図、（ｂ）は胸元に当て掛けるタイプの裏面図である。
【図８】本考案の製造工程を示す説明用簡略図である。
【図９】使用状態を示す説明図である。
【図１０】使用状態を示す説明図である。
【符号の説明】
【００２６】
１  ナプキン本体
２  突片部
３  上辺中間縁部
４  裏面
５  再剥離糊
６  剥離紙
【図１】
0003114623.tif 000003
【図２】
0003114623.tif 000004
【図３】
0003114623.tif 000005
【図４】
0003114623.tif 000006
【図５】
0003114623.tif 000007
【図６】
0003114623.tif 000008
【図７】
0003114623.tif 000009
【図８】
0003114623.tif 000010
【図９】
0003114623.tif 000011
【図１０】
0003114623.tif 000012